(57)【特許請求の範囲】
【請求項１】
垂木上面から木ねじを脳天打ちする際に用いる木ねじ支保治具であって、
台座と、台座に垂直に立設する支保部と、からなり、
前記支保部の上端には、前記木ねじの軸部を回動自在に収容する支保空間を有する支保片を設け、
前記台座には、前記支保部の下端から前記台座の端部まで連続する打設孔を設け、
前記台座の両端縁から一対の可撓挟持片を突設し、
前記支保治具は前記可撓挟持片によって前記垂木を挟持した状態で、摺動自在に前記垂木上に保持されることを特徴とする、
木ねじ支保治具。
【発明の詳細な説明】
【技術分野】
【０００１】
本発明は、木造住宅において、垂木を母屋や桁等の垂木受けに木ねじによって固定する際に使用する、木ねじ支保治具に関するものである。
【背景技術】
【０００２】
従来、垂木を垂木受けに固定する際には、垂木固定金具が用いられていたが、近年、垂木の上面から垂木受けに木ねじを打ち込む（脳天打ち）ことにより固定する方法が用いられている。
【０００３】
木ねじを脳天打ちして垂木と垂木受けを固定する方法には、以下のような問題があった。
（１）垂木の固定は、足場の悪い高所での作業となるため、作業そのものが困難であった。
（２）作業が困難なため、それぞれの固定箇所での木ねじの打ち込み角度が一定にならず、均一な施工が困難であり、期待する接合耐力が得られない恐れがあった。
【０００４】
本発明は、木ねじを支承することにより、均一な角度で木ねじを脳天打ちすることができる、木ねじ支保治具を提供することを目的とする。
【発明の概要】
【課題を解決するための手段】
【０００５】
上記目的を達成するためになされた本願の発明は、垂木上面から木ねじを脳天打ちする際に用いる木ねじ支保治具であって、台座と、台座に垂直に立設する支保部と、からなり、前記支保部の上端には、前記木ねじの軸部を回動自在に収容する支保空間を有する支保片を設け、前記台座には、前記支保部の下端から前記台座の端部まで連続する打設孔を設け、前記台座の両端縁から一対の可撓挟持片を突設し、前記支保治具は前記可撓挟持片によって前記垂木を挟持した状態で、摺動自在に前記垂木上に保持されることを特徴とする、木ねじ支保治具を提供する。
【発明の効果】
【０００６】
本発明は、上記した課題を解決するための手段により、次のような効果の少なくとも一つを得ることができる。
（１）支保片によって垂直に支保した状態で木ねじを打ち込むため、常に垂直に木ねじを打ち込み、均一な施工ができ、期待する接合耐力を安定して得ることができる。
（２）垂木上に自立した木ねじ支保治具によって木ねじを支保することにより、作業が困難な場所においても容易に木ねじを打ち込むことができる。
（３）木ねじ支保治具は垂木上を摺動自在であるため、木ねじの打ち込み位置の位置決めを容易に行うことができる。
（４）木ねじ支保治具の可撓挟持片が垂木の幅に合うように撓むため、様々な幅の垂木に用いることができる。
【図面の簡単な説明】
【０００７】
【図１】本発明の木ねじ支保治具の斜視図
【図２】本発明の木ねじ支保治具の自立状態の説明図
【図３】本発明の木ねじ支保治具の使用方法の説明図（１）
【図４】本発明の木ねじ支保治具の使用方法の説明図（２）
【図５】本発明の木ねじ支保治具の使用方法の説明図（３）
【図６】参考例１に係る本発明の木ねじ支保治具の斜視図
【図７】参考例２に係る本発明の木ねじ支保治具の斜視図
【図８】参考例２に係る本発明の木ねじ支保治具の使用方法の説明図（１）
【図９】参考例２に係る本発明の木ねじ支保治具の使用方法の説明図（２）
【発明を実施するための形態】
【０００８】
以下、図に示す実施例に基づき、本発明を詳細に説明する。
【実施例１】
【０００９】
［１］本発明の構成
本発明の木ねじ支保治具１は、台座１１と、台座１１に立設する支保部１２と、からなる。（図１）
木ねじ支保治具１はＰＰやＰＥＴ等の樹脂製とする。
以下、各構成部材について詳述する。
【００１０】
（１）台座
台座１１は平板であり、中心線Ｌに沿って、打設孔１１１を設ける。
打設孔１１１は、本発明の木ねじ支保治具１を用いて打ち込む木ねじの山径とほぼ同幅とする。
打設孔１１１は、中心線Ｌに沿って、支保部１２の下端から台座１１の端部まで連続して形成する。
【００１１】
（２）可撓挟持片
台座１１の中心線Ｌと平行する両端部の縁からは、一組の可撓挟持片１１２を下方に立設する。
台座１１は、両可撓挟持片１１２によって垂木２を挟持することにより、垂木２上で自立し、かつ、垂木２を挟持した状態で垂木２に沿って摺動することができる。
垂木２は、木材の乾燥状態や加工精度により寸法差が生じるが、木ねじ支保治具１は、可撓挟持片１１２が可撓性を有し、かつ湾曲していることにより挟持幅が変動するため、垂木２の寸法差への対応だけでなく、様々な太さの垂木２に対応することができる。（図２）
可撓挟持片１１２には、可撓性を向上するために、湾曲部に切り欠き１１３を設けても良い。また、可撓挟持片１１２には、垂木２を挟持する際の摩擦抵抗を向上するために、垂木２と接触する箇所に溝１１４を複数本設けてもよい。
台座１１や可撓挟持片１１２の板厚は１ｍｍ〜２．５ｍｍ程度とする。
【００１２】
（３）支保部
支保部１２は、台座１１の中央に、台座１１に対して垂直に立設する部材である。
支保部１２の高さは、木ねじの長さよりも低くする。
支保部１２の上端中央には、木ねじを支保するための支保片１２１を形成する。
【００１３】
（４）支保片
支保片１２１は、支保部１２と反対側の端部が開放された、木ねじの胴部とほぼ同幅の、断面がＵ字状の部材である。
支保片１２１は木ねじの胴部を支保するため、所定の長さを有する。
支保片１２１の内側には、支保した木ねじが脱落するのを防ぐために、凸部１２２を設ける。
支保片１２１の凸部１２２より内側の底面は円弧状であるため、凸部１２２より内側の空間が支保空間１２３となり、木ねじの軸部を回動可能に支保（支承）する。
【００１４】
［２］使用方法
次に本発明の木ねじ支保治具１を用いた脳天打ちの方法を説明する。
【００１５】
（１）木ねじ支保治具１の設置
垂木受け３上の垂木２の上面２１に、木ねじ支保治具１を取り付ける。（図３）
木ねじ支保治具１は樹脂からなるため軽量であり、容易に運搬・配置ができる。
垂木２は傾斜しており、木ねじ支保治具１は、支保部１２の支保片１２１が上方に開放する向きに取り付ける。
木ねじ支保治具１は、可撓挟持片１１２によって垂木２を挟持する形態であるため、容易に垂木２の上面２１に取り付けることができる。
また、木ねじ支保治具１は垂木２を挟持した状態で垂木２上を摺動することができるため、木ねじ支保治具１の位置決めを容易に行うことができる。
木ねじ支保治具１を透明にする場合には、垂木２に設けた墨出し線等を透かして位置を確認することができる。
木ねじ支保治具１は、台座１１の裏面１１５を垂木２の上面２１に当接して配置する。
【００１６】
（２）木ねじの支保
木ねじ支保治具１の支保部１２は、台座１１に垂直に立設している。
このため、台座１１の裏面１１５と垂木２の上面２１を当接することにより、支保部１２が垂木２の上面２１に対して垂直となる。
そして、支保部１２に設けた支保片１２１の支保空間１２３に、木ねじ４を内挿することにより、木ねじ４は垂木２に対して垂直に配置される。
支保部１２は傾斜した垂木２に対して垂直であるため、木ねじ４は自重により、下端が打設孔１１１内で垂木２に当接した状態で、垂木２に対して垂直に支保される。
【００１７】
（３）木ねじの打ち込み
木ねじ支保治具１を固定した状態でドライバー等により木ねじ４を回転させながら打ち込む。（図４）
木ねじ４を支保片１２１により支保した状態で打ち込んでいくことにより、支保空間１２３及び打設孔１１１がガイドとなり、木ねじ４は垂木２に対して垂直に打ち込まれる。
支保片１２１は木ねじ４の軸部４１と同径であり、かつ打設孔１１１は木ねじ４の軸部４１の山径とほぼ同幅であるため、打ち込み時に木ねじ４がブレることなく、垂木２に対して垂直に打ち込まれる。また、支保片１２１には凸部１２２を設けるため、木ねじ４が回転により支保空間１２３から抜け出すことがない。
支保片１２１は木ねじ４の軸部４１の一部分を支保するため、木ねじ４の回転により、木ねじ支保治具１が供回りすることがない。
【００１８】
（４）木ねじ支保治具の摺動
支保片１２１は木ねじ４の軸部４１とほぼ同幅に構成する。
このため、木ねじ４の頭部４２は支保片１２１に挿通することができない。
よって、木ねじ４の頭部４２が木ねじ支保治具１と干渉しない範囲で木ねじ４を所定の深さまで打ち込んだ後、木ねじ支保治具１を垂木２に沿って下方に摺動する。支保片１２１は一方の端部が開放されているため、木ねじ４の軸部４１は露出する。
木ねじ支保治具１は垂木２に可撓挟持片１１２によって挟持しているため、容易に摺動することができる。
そして、台座１１の端部まで連続した打設孔１１１内部を木ねじ４が移動するように木ねじ支保治具１を摺動して、木ねじ支保治具１と木ねじ４を分離する。（図５）
木ねじ支保治具１と分離した木ねじ４は、支保空間１２３及び打設孔１１１をガイドとして所定の深さまで打ち込まれているため、支保空間１２３によるガイドがなくとも、そのまま垂木２に対して垂直に打ち込むことができる。
このようにして木ねじ４を打ち込むことにより、木ねじ４により垂木２と垂木受け３が固定され、脳天打ちが完了する。
【００１９】
（５）木ねじ支保治具の取り外し
木ねじ４と分離した木ねじ支保治具１は、垂木３から取り外す。木ねじ支保治具１は垂木２に可撓挟持片１１２によって挟持しているため、容易に取り外すことができる。
取り外した木ねじ支保治具１は、次の作業箇所に配置し、上記同様に木ねじ４の打ち込み作業に用いることができる。
そして、次の作業箇所においても木ねじ支保治具１を用いることにより、垂木２に対して垂直に木ねじ４を打ち込むことができるため、いずれの接合場所においても均一な施工となる。
【参考例１】
【００２０】
上記実施例においては、支保部１２の上端中央に設けた支保片１２１の支保空間１２３により木ねじを支保したが、支保部１２の全長に亘って支保空間１２３を設けてもよい（図６）。
このとき、支保片１２１は木ねじ４の軸部４１の山径とほぼ同幅とする。
【参考例２】
【００２１】
（１）抜出孔
また、上記実施例においては、台座１１の打設孔１１１を台座１１の端部まで連続するように設けたが、打設孔１１１に連続する、孔状の抜出孔１１６としてもよい。（図７）
抜出孔１１６は、木ねじ４の頭部よりも大径とする。
【００２２】
（２）木ねじ支保治具の摺動
上記実施例１にもあるように、木ねじ４の頭部４２は支保片１２１に挿通することができない。
よって、木ねじ４の頭部４２が木ねじ支保治具１と干渉しない範囲で木ねじ４を所定の深さまで打ち込んだ後、木ねじ支保治具１を垂木２に沿って下方に摺動し、木ねじ４の軸部４１を打設孔１１１から抜出孔１１６内部へ移動する。支保片１２１は開放されているため、木ねじ４の上部は露出する。（図８）
木ねじ支保治具１は垂木２に可撓挟持片１１２によって挟持しているため、容易に摺動することができる。
抜出孔１１６は木ねじ４の頭部４２よりも大径であるため、木ねじ４は木ねじ支保治具１に干渉されることなく、垂木２へ打ち込むことができる。
木ねじ４は、支保空間１２３及び打設孔１１１をガイドとして所定の深さまで打ち込まれているため、支保空間１２３によるガイドがなくとも、そのまま垂木２に対して垂直に打ち込むことができる。
【００２３】
（３）木ねじ支保治具の取り外し
このようにして木ねじ４を打ち込むことにより、木ねじ４により垂木２と垂木受け３が固定され、脳天打ちが完了する。（図９）
そして、木ねじ支保治具１を取り外し、次の作業箇所に木ねじ支保治具１を配置し、上記同様に木ねじ４の打ち込み作業を行う。
抜出孔１１６は木ねじ４の頭部４２よりも大径であるため、干渉することなく木ねじ支保治具１を取り外すことができる。木ねじ支保治具１は垂木２に可撓挟持片１１２によって挟持しているため、容易に取り外すことができる。
そして、次の作業箇所においても木ねじ支保治具１を用いることにより、垂木２に対して垂直に木ねじ４を打ち込むことができるため、いずれの接合場所においても均一な施工となる。
【符号の説明】
【００２４】
１        木ねじ支保治具
１１      台座
１１１    支保孔
１１２    可撓挟持片
１１３    切り欠き
１１４    溝
１１５    裏面
１１６    抜出孔
１２      支保部
１２１    支保片
１２２    凸部
１２３    支保空間
２        垂木
２１      上面
３        垂木受け
４        木ねじ
４１      軸部
４２      頭部
【図１】
0005489123.tif 000002
【図２】
0005489123.tif 000003
【図３】
0005489123.tif 000004
【図４】
0005489123.tif 000005
【図５】
0005489123.tif 000006
【図６】
0005489123.tif 000007
【図７】
0005489123.tif 000008
【図８】
0005489123.tif 000009
【図９】
0005489123.tif 000010